【事件の表示】
　上記当事者間の特許第２６８６４９７号発明「パチンコ台の表示装置」の特許無効審判事件について、次のとおり審決する。
【結　論】
　訂正を認める。
　特許第２６８６４９７号の特許請求の範囲第１項に係る発明についての特許を無効とする。
　審判費用は、被請求人の負担とする。
【理　由】
１．手続の経緯
  本件特許第２６８６４９７号発明は、昭和６２年７月１６日に出願され、平成９年８月２２日設定登録がなされ、その後、ユーエフ産業株式会社外３名より特許無効審判の請求がなされ、その後本件特許発明に対する別件の無効審判請求（無効２０００−３５２１３号、無効２０００−３５３８７号）と併合審理がなされた。その間本件特許発明に対する訂正請求が無効２０００−３５２１３号では平成１２年８月１１日付けで、無効２０００−３５３８６号では平成１３年２月９日付けでなされ、平成１３年１０月１５、１６日に口頭審理が行われ、併合審理の分離がなされた。その後平成１５年３月６日付で無効理由通知がなされ、同年４月８日付で訂正請求がなされ（以下、「第３回の訂正請求」という。）、同年５月２０日にダイコク電機株式会社より参加申請書が提出され、同年８月２９日付で該申請が許可されたものである。
２．訂正の適否の判断
　上記訂正請求のうち、最新の訂正請求である第３回の訂正請求を前提に審理を行い訂正の適否の判断を行うこととする。
（１）訂正の内容
　訂正事項ａ・・特許請求の範囲第１項の記載を次の通り訂正する。
【請求項１】パチンコ台と別体の一つの筐体を備え、パチンコ台毎に取付けられその台の作動状況等を表示するパチンコ台の表示装置において、文字・図形を表示する表示板と、ランプと、呼出しスイッチと、制御装置とをパチンコ台と別体の一つの筐体に装着する一方、前記制御装置は複数の表示内容を示すプログラムを記憶するメモリと、ＣＰＵとを備え、更に、筐体とは別体の携帯入力装置を設けた構成とされ、前記ＣＰＵは、パチンコ台および呼出しスイッチから入力される作動状況を示す信号に基づいて作動状況に対応する表示内容を示すプログラムを前記メモリから読出して前記表示板およびランプに表示させる一方、携帯入力装置からの入力に基づいて食事表示プログラムを前記メモリから読出し、該食事表示プログラムは、遊技者が食事中である旨を表示する食事表示を所定時間にわたり続け、所定時間が経過したとき終了表示を行うことを特徴とするパチンコ台の表示装置。
　訂正事項ｂ・・明細書の発明の詳細な説明における「（発明の構成）」の欄（本件公報３欄１９行〜３２行）を次の通り訂正する。
（発明の構成）この発明によればこの目的は、パチンコ台と別体の一つの筐体を備え、パチンコ台毎に取付けられその台の作動状況等を表示するパチンコ台の表示装置において、文字・図形を表示する表示板と、ランプと、呼出しスイッチと、制御装置とをパチンコ台と別体の一つの筐体に装着する一方、前記制御装置は複数の表示内容を示すプログラムを記憶するメモリと、ＣＰＵとを備え、更に、筐体とは別体の携帯入力装置を設けた構成とされ、前記ＣＰＵは、パチンコ台および呼出しスイッチから入力される作動状況を示す信号に基づいて作動状況に対応する表示内容を示すプログラムを前記メモリから読出して前記表示板およびランプに表示させる一方、携帯入力装置からの入力に基づいて食事表示プログラムを前記メモリから読出し、該食事表示プログラムは、遊技者が食事中である旨を表示する食事表示を所定時間にわたり続け、所定時間が経過したとき終了表示を行うことを特徴とするパチンコ台の表示装置により達成される。すなわち各パチンコ台に設ける表示装置を、パチンコ台および呼出しスイッチから入力される作動状況を示す信号と、携帯入力装置の入力とに基づいて、それぞれ独立させて別個に制御するものである。
　訂正事項ｃ・・明細書の発明の詳細な説明における「（発明の効果）」の欄（本件公報７欄１１行〜８欄４行）を次の通り訂正する。
（発明の効果）本発明は以上のように、１つの筐体に表示板と、ランプと、呼出しスイッチと、制御装置とを収容し、制御装置は複数の表示内容を示すプログラムを記憶するメモリと、作動状況を判別するＣＰＵとを備え、更に、筐体とは別体の携帯入力装置を設けた構成であり、パチンコ台および呼出しスイッチから入力される作動状況を示す信号に基づいてＣＰＵにより作動状況に対応した表示内容を示すプログラムをメモリから読出して表示板およびランプに表示させるものであるから、表示装置は１つの筐体毎に独立して作動し、取付けられるパチンコ台毎の作動状況をそれぞれ表示できる。更に、携帯入力装置からの入力に基づいて食事表示プログラムを前記メモリから読出して表示させることができ、この際、食事表示プログラムは、遊技者が食事中である旨を表示する食事表示を所定時間にわたり続け、所定時間が経過したとき終了表示を行う。すなわち多数の表示装置を統轄する中央制御装置が不要であり、全体システムが非常に簡単で安価になる。またパチンコ台数に対応して表示装置を設定すれば足りるので、小規模の遊技場にも容易に導入可能である。
（２）訂正の目的の適否、新規事項の有無及び拡張・変更の存否
　上記訂正事項ａは、特許請求の範囲の減縮を目的とした明細書の訂正に該当し、上記訂正事項ｂ及びｃは、上記訂正事項ａと整合を図るものであるから明りょうでない記載の釈明を目的とした明細書の訂正に該当し、いずれも、新規事項の追加に該当せず、実質的に特許請求の範囲を拡張し、変更するものではない。
（３）むすび
　上記訂正は、平成６年改正法による改正前の特許法第１３４条第２項ただし書き、及び特許法第１３４条第５項において準用する平成６年改正法による改正前の特許法第１２６条第２項の規定に適合するので、当該訂正を認める。
３．特許無効の理由
（１）本件発明
　訂正後の特許請求の範囲第１項の発明の要旨は、その特許請求の範囲第１項に記載された上記訂正事項ａのとおりのものと認められる。
（以下、「本件発明」という。）
（２）引用刊行物
　刊行物１・・実願昭４９−６０６５９号（実開昭５０−１４９１８６号）のマイクロフィルム
　刊行物２・・特開昭５４−２９２３０号公報
　刊行物３・・特開昭５６−７５１８６号公報
　刊行物４・・あすのホール経営　’８６　プレイグラフ臨時増刊号（昭和６１年９月２５日発行　第２２巻第１０号　第２７５頁広告）
　刊行物５・・娯楽産業（昭和６１年２月５日発行　第２３巻第２号　第３３頁広告）
（３）各刊行物記載の発明
　刊行物１は、パチンコ機用表示ランプに関するものであり、
Ａ．「１は表示ランプ本体であってパチンコ機台Ｐの上方の目につき易い所に取付けられる」（第２頁１９〜２０行）、
Ｂ．「パチンコ機ｎｏ．３の作動説明のように、パチンコ機の打止めがコンピューター６により指令され打止めの作動がなされると同時に文字表示ランプ１２、１２’が点灯し、「ありがとうございました。この機械は打止めになりました」という字句が文字表示部４に写し出され、そして遊技者にそのパチンコ機が打止めになったことを自動的に知らせると共に感謝の意を表明するものである」（第４頁２０行〜第５頁７行）、
Ｃ．「パチンコ機ｎｏ．４のように、そのパチンコ機に球が出なくなって遊技者は呼び出し用スイッチ２を押しそのために呼び出し用表示ランプ１１が点灯して呼び出し用表示部３、３にこれが表示されると同時に、コンピューター６からの打止め指令が発せられて、ｎｏ．３と同様に文字表示部４にその字句が写し出されるものである」（第５頁８〜１４行）、
Ｄ．「遊技場によっては「打止め」の操作をしないところもあるので、このような場合には、パチンコ機に故障などあって遊技者がスイッチ２を押して呼び出し用表示ランプ１１が点灯し呼び出し用表示部３、３に表示されると同時に、カウンターに伝達されコンピューター６を作動して文字表示用ランプ１２、１２’を点灯して文字表示部４に、この場合には、「しばらくお待ち下さい」という意味の表示をして遊技者がその間いらいらした感情を起こさせないようにするものである。」（第５頁１５行〜第６頁４行）、
Ｅ．「呼び出し用表示部３、３には呼び出し用表示ランプ１１、１１の点灯を示すと同時にここに「しばらくお待ち下さい」の字句を表示し、文字表示部４には打止めの指令に基いて「ありがとうございました。この機械は打止めになりました」という字句を表示するようにしてもよい」（第６頁５〜１０行）、
　また、第１図には、各パチンコ機台Ｐ毎に各パチンコ台Ｐの上方に表示ランプ本体１が取り付けられている状態、即ち表示ランプ本体がパチンコ台Ｐと別体であることが示されている。
　上記の記載及び第１〜３図の記載によれば、刊行物１には、
「各パチンコ機台Ｐ毎の上方に取付けられ、呼び出し用表示部３、打止め指令に基いて文字表示する文字表示部４と、呼び出し用表示ランプ１１、文字表示用ランプ１２と、呼び出し用スイッチ２とを備えた各パチンコ台Ｐと別体の表示ランプ本体１であって、前記呼び出しスイッチ２を押すことにより、呼び出し用表示ランプ１１を点灯し呼び出し用表示部３に表示すると共に、カウンターのコンピューター６を作動して上記文字表示部４にパチンコ機の打ち止めの文字を表示するパチンコ機用表示ランプ」が記載されている。（以下、「刊行物１記載の発明」という。）
　刊行物２は、遊技機の電子管理装置に関するものであり、
Ｆ．「パチンコ機においては、各々のパチンコ機からの情報を共用した単一の電子管理装置で計数、演算、制御等を行っていた為に、その装置は技術的に非常に高度、高価且つ大規模な装置になった。その上電子管理装置が故障した場合は、全台の遊技機について影響を及ぼし、引いては、全台の遊技機が稼動を停止してしまう事もしばしばあった。更に技術的に高度であることから、技術専問家でなければ直すことができず、故障してからその専問家が到着するまでの間は当該遊技機の稼動は停止したままであった。更に又、技術専問家による装置の保守に要する費用もかかり、極めて不経済である等種々なる欠点を有するものであった。・・・本発明は斯る欠点を除去するために発明されたもの」（第１頁右下欄１０行〜第２頁右上欄５行）。
Ｇ．「遊技機の稼動状況を示す情報を検出して管理し、ゲーム打止の制御を行うには、遊技機１に各々の情報に対応した検出器２、電気信号によりゲームの打止めを行うゲーム打止装置３を設ける一方、各々の遊技機１に付帯させ検出器２、ゲーム打止装置３に電気的に接続された電子制御装置４は、検出器２からの検出信号を計数して記憶する計数記憶部５、計算、比較等を行う演算部６、打止信号を発する打止信号出力部７、記憶内容を外部に電気信号として出す事ができる表示出力部８、外部との電気信号の入出力を行う入出力端子９等から成り、遊技機の稼動状況を管理、ゲームの打止めの制御を行うよう構成される・・・各々の遊技機１の稼動状況を表示するには、各々の遊技機１に付帯させた電子制御装置４に表示部１０を設けて情報を表示する」（第２頁左下欄末行〜第３頁左上欄７行）
Ｈ．「本発明は上述の如く各々の遊技機に設けた電子制御装置によって情報の管理、打止めの制御ができるので、従来のような高価な大規模な装置は必要とせず、設置台数の少ない遊技店でも安価に導入することができる。更に故障の際は他の遊技機に影響を及ぼすことなく当該遊技機の電子制御装置のみ交換するだけで足りるので、店員でも極めて簡単に直すことができ、且つ又技術専問家の保守が不要であるので経済的である。更に又、従来のものは専問に電子管理装置に人が付いて管理しなければならないのであったが、本発明は遊技店内の遊技機を管理する店員が兼ねて管理を行うことができるので、人手を省くことが出来る等種々なる極めて顕著な効果を有するものである」（第３頁左下欄５行〜右下欄９行）
　また、第２図には、表示部１０が電子制御装置４に一体的に設けられていることが示されている。
　したがって、刊行物２には、電子制御装置４と表示部１０とが一つの筐体に設けられていることが開示されている。
　以上の記載によれば、刊行物２には、各々の遊技機に付帯して設けられており、遊技機の稼働状況を示す情報を検出して管理すると共に稼働状況の表示を行い、電子制御装置４と表示部１０とが一つの筐体に設けられている遊技機の電子管理装置が記載されている。
　刊行物３は、パチンコ機の制御方法に関するものであり、
１．「制御装置２５は第２図に示す如く、ワンチップマイクロコンピュータ構成のＬＳＩで横成された中央処理装置（ＣＰＵ）２６を有する。ＣＰＵ２６はプログラムメモリ２７のプログラムによって動作する論理演算部２８を有し、パチンコ機１の動作上必要なデータや、管理上必要なデータを演算処理部２８の演算処理動作に応じてデータメモリ２９に記憶、更新し、又はその記憶を必要に応じて読出すことができるようになされている。」（第２頁右下欄５行〜１３行）、
Ｊ．「かくして制御装置２５は、アウト穴１１に入った遊技球の数を遊技場にとっての利益球数とし、また入賞装置８に入った遊技球の数を遊技場にとっての損失球数とし、その差を現在までの当該パチンコ機１の営業成績を表わす損失球数データとして演算し、蓄積して行く。またＣＰＵ２６はセーフ球検出器３１からの検出出力が到来して損益球数データの減算が実行されたとき、この減算結果の損益球数データとデータメモリの打止め設定数エリアの記憶データとを読出して比較し、損益球数が打止め設定数を越えたときこれを検出して、ドライバ３４を介して賞球補給装置４３に与えられるべき補給駆動信号の送出を禁止させると共に、ドライバ３４を介して発射装置５に与えられている電源の供給を中止させる。・・・これと共にＣＰＵ２６はドライバ３４を介して打止め表示器３８を点灯させると共に、打止め表示プログラムを読出してドライバ３４を介してモニタ表示器３７に表示出力を与え、かくしてモニタ表示器３７によって可視表示として例えば「ウチドメ」の文字表示をさせる。」（第３頁左下欄２行〜右下欄８行）、
Ｋ．「このように賞球不足検出器４５の検出出力が到来するとＣＰＵ２６は、プログラムメモリ２７の補給音プログラムを読出して増幅器３５を介してスピーカ３６に与え、スピーカ３６によって例えば鈴音でなる補給音を発生させる。これと共にＣＰＵ２６は補給表示プログラムを読出してドライバ３４を介してモニタ表示器３７に表示出力を与え、かくして表示器３７によって可視表示として例えば「ホキユウ１カイ」の文字表示をさせる。」（第４頁左上欄１２行〜２０行）、
Ｌ．「以上のように本発明に依れば、パチンコ機の遊技結果に応じて状態に変化が生ずれば、いろいろの側面から遊技者に対して聴覚的に又は視覚的に知らせることができ、かくするにつき、マイクロコンピュータ構成の制御装置を用いることにより、比較的簡易な横成によって実現できる。」（第５頁左欄１８行〜右欄４行）と記載されている。
　上記記載から、上記制御装置２５のプログラムメモリ２７は、「ウチドメ」、「ホキュウ１カイ」等の複数の表示内容を記憶し、パチンコ台（セーフ球検出器３１や賞球不足検出器４５）から入力される作動状況を示す信号に基づいて作動状況に対応する表示内容（上記「ウチドメ」、「ホキュウ１カイ」等）を示すプログラムを前記プログラムメモリ２７から読出してモニタ表示器３７に表示し、打止め表示器３８を点灯させるものであり、前記モニタ表示器は表示板であり、前記打止め表示器は点灯させると記載されているように、ランプに相当するものであるから、刊行物３には、制御装置は複数の表示内容を記憶するメモリと、ＣＰＵとを備え、前記ＣＰＵはパチンコ台から入力される作動状況を示す信号に基づいて作動状況に対応する表示内容を示すプログラムを前記メモリから読出して前記表示板およびランプに表示させることが記載されているものと認める。
　刊行物４の第２７５頁下欄の広告には、「業界初マイコン搭載の押釦スイッチ」である「ステイタスカウンター」として「ノーマル、フィーバー、カウンターの３種類。トラブル、フィーバー時にランプスイッチを押すと、「しばらくおまちください」と緑色ランプで表示。」、
　さらに「ステイタスフィーバー」については、「フィーバー時はランプがパッシィングします。」と記載されている。
　刊行物５の第３３頁下欄の広告には、「業界初のマイコン搭載押ボタンスイッチ「ステイタスカウンター」が・・・新発売になった。機種は３タイプで、スタンダード型（ノーマル型）、フィーバータイプ（大当り表示タイプ）と大当り回数表示のカウンタータイプがある。大当り表示が押ボタンスイッチと一体になっているので幕板のデザインを損なわずシンプルなデザイン。フィーバーだけでなくヒコーキタイプの大当り表示（２９９回まで回数表示）にも使用できる大当り中は押ボタンランプと回数表示がフラッシュ点滅する。」と記載されている。また、上記押釦スイッチの写真の左上には数字が記載され、この数字は台の番号と考えられる。
　以上の記載からすれば、刊行物４，５には、マイコンと、ランプと、押ボタンスイッチと、表示板とを一つの筐体に装着した押釦スイッチ（表示装置）が記載されている。
（４）対比・判断
　本件発明と上記刊行物１記載の発明とを対比すると、
　刊行物１記載の発明の「表示ランプ本体１」、「パチンコ機用表示ランプ」、「文字表示部４」、「呼び出し用表示ランプ１１」及び「呼び出し用表示部３」、「呼び出し用スイッチ２」、「コンピューター６」は、本件発明の「筐体」、「パチンコ台の表示装置」、「文字・図形を表示する表示板」、「ランプ」、「呼出しスイッチ」、「制御装置」及び「ＣＰＵ」に相当するものと認められる。
　また、刊行物１記載の発明の「呼び出し用表示部３、打止め指令に基いて文字表示する文字表示部４」は、パチンコ台の作動状況を表示するものであるから、本件発明の「パチンコ台毎に取付けられその台の作動状況等を表示する」機能を有するものと認められるので、
　本件発明と、刊行物１記載の発明は
「パチンコ台と別体の一つの筐体を備え、パチンコ台毎に取付けられその台の作動状況等を表示するパチンコ台の表示装置において、文字・図形を表示する表示板と、ランプと、呼出しスイッチとをパチンコ台と別体の一つの筐体に装着する一方、ＣＰＵは呼出しスイッチから入力される作動状況を示す信号に基づいて作動状況に対応する表示内容を前記表示板に表示させることを特徴とするパチンコ台の表示装置」
　である点で一致し、
１）本件発明の制御装置は複数の表示内容を示すプログラムを記憶するメモリと、ＣＰＵを備え、ＣＰＵはパチンコ台および呼出しスイッチから入力される作動状況を示す信号に基づいて作動状況に対応する表示内容を示すプログラムをメモリから読出して表示板およびランプに表示させるのに対し、刊行物１記載の発明のＣＰＵは呼出しスイッチから入力される作動状況を示す信号に基づいて作動状況に対応する表示内容を前記表示板に表示させる点、
２）本件発明の制御装置が、パチンコ台と別体の一つの筐体に装着されるのに対し、刊行物１記載の発明は、各パチンコ台に共通な制御装置であるＣＰＵがカウンターにある点、
３）本件発明が、筐体とは別体の携帯入力装置を設け、該携帯入力装置からの入力に基づいて食事表示プログラムを前記メモリから読出し、該食事表示プログラムは、遊技者が食事中である旨を表示する食事表示を所定時間にわたり続け、所定時間が経過したとき終了表示を行うのに対し、刊行物１記載の発明は、このような構成を備えていない点、
　で相違していると認められる。
・相違点１）について
　上記したように、刊行物１記載の発明のＣＰＵは、呼出しスイッチから入力される作動状況を示す信号に基づいて作動状況に対応する表示内容を前記表示板に表示させるものであって、複数の表示内容を示すプログラムを記憶するメモリは備えておらず、ＣＰＵはパチンコ台から入力される作動状況を示す信号に基づいて作動状況に対応する表示内容を示すプログラムをメモリから読出して表示板およびランプに表示していない。また、ＣＰＵは呼出しスイッチから入力される作動状況を示す信号に基づいてランプに表示（点灯）させていない。
　しかしながら、刊行物３には、パチンコ台の作動状況等を表示する表示装置として、複数の表示内容を記憶するメモリと、ＣＰＵとを備え、前記ＣＰＵはパチンコ台から入力される作動状況を示す信号に基づいて作動状況に対応する表示内容を示すプログラムを前記メモリから読出して表示板およびランプに表示させることが記載され、刊行物１記載の発明もパチンコ台の作動状況等を表示板に表示するものであるから、その作動状況等の出力をパチンコ台からのものとして、刊行物３に記載の制御装置を用い、その際、呼び出しスイッチから入力され作動状況を示す信号もＣＰＵを介してランプに表示（点灯）することは当業者が容易に想到し得るものである。
・相違点２）について
　刊行物２には、各々の遊技機に付帯して設けられた電子管理装置であり、遊技機の稼働状況を示す情報を検出して管理すると共に、稼働状況の表示を行う遊技機の電子管理装置が記載されており、しかも、上記刊行物２の記載Ｆ．Ｈ．によれば、上記電子管理装置は単一の大規模な電子管理装置（本件特許明細書の「中央制御装置」に相当）を必要とせず、設置台数の少ない遊技店でも安価に導入することができるものであるから、本件発明の「パチンコ台毎にその台に関する作動状況などの情報を表示でき、この表示に際して中央制御装置などが不要でシステムが非常に簡単で安価になり、小規模のパチンコ遊技場にも適する」という目的、効果と一致している。
　また、刊行物２の第２図には、表示部１０が電子制御装置４と一体的に、即ち電子制御装置４と表示部１０とが一つの筐体に設けられていることが開示されている。
　そして、刊行物２の電子管理装置は遊技機の稼働状況の管理及びその表示を行うものであるが、本件発明もその実施例（第６図、及びそれに対応する発明の詳細な説明の記載）を見れば、稼働状況の表示のみならず、サブルーチンＳ１ のステップ３０２においてパチンコ台Ａの玉の供給を停止して使用不能にすること、即ちパチンコ台の管理も行っていることが記載されているから、この点において、本件発明の表示装置と刊行物２の電子管理装置とは格別な差異は認められず、刊行物２記載の上記技術を刊行物１記載の発明に適用できない理由も見あたらない。
　また、刊行物４，５には、マイコンと、ランプと、押ボタンスイッチと、表示板とを一つの筐体に装着した押釦スイッチ（表示装置）が記載されているところ、これら刊行物に接した当業者は、このマイコンは上記押釦スイッチ（表示装置）を制御しているものと理解するものと認められる。
　したがって、刊行物１記載の発明に刊行物２又は刊行物４，５記載の上記点を組み合わせて、制御装置もパチンコ台と別体の一つの筐体に装着し、本件発明の相違点２）に係る構成とすることは当業者が容易に想到し得る程度のことである。
・相違点３）について
　パチンコ遊技機の分野において遊技店の店員が携帯入力装置を携帯し、パチンコ台に関する情報を制御装置との間でやり取りすることは周知（参加人提出の丙第７〜９号証、および、無効審判請求人提出の甲第４号証）であり、どのような表示を行わせるかという表示情報も制御情報であるから、携帯入力装置により表示情報のやり取りをすることは当業者が容易に想到し得ることである。
　また、表示させる内容（含む、終了後の表示）をどのようなものとし、どのくらいの時間行うようにするかは、格別な技術的意義がなければ当業者の設計的事項程度のことであり、しかも、遊技機の作動状況（打ち止め、食事、開放等）を店員がパチンコ機に札を立てることによりその旨の表示を行い、適宜時間後、又は所定時間後にその札をはずすようにすることは遊技店において一般的に行われていたことである。そして、このような作動状況を電気的に表示することも周知（刊行物３及び丙第５、６号証）である。
　そうすると、上記のような周知の携帯入力装置を採用し、本件発明の相違点３に係る構成とすることは、格別困難なことということはできず、当業者が容易に想到し得ることというべきである。
　参加人提出の丙号証
　丙第５号証・・特開昭６０−１３９２７２号公報
　丙第６号証・・実願昭５８−１２１４７７号（実開昭６０−２７９７１号）のマイクロフィルム
　丙第７号証・・特開昭５８−６５１８３号公報
　丙第８号証・・特開昭５９−１５１９７６号公報
　丙第９号証・・実願昭６０−９７１５６号（実開昭６２−６８７６号）のマイクロフィルム
　無効審判請求人提出の甲第４号証
遊技通信　昭和６１年１月２０日　広告（株式会社藤興　藤興のオールマイティ・フラッシュ）
　そして、本件発明のように構成することによって、格別な効果を奏するようになったものということはできない。
　したがって、本件発明は、上記刊行物１〜５記載の発明及び周知の技術にもとづいて当業者が容易に発明することができたものである。
５．むすび
　以上のとおりであるから、本件発明の特許は、特許法第２９条第２項の規定に違反してされたものであり、同法第１２３条第１項第２号に該当する。
　審判に関する費用については、特許法第１６９条第２項の規定で準用する民事訴訟法第６１条の規定により、被請求人が負担すべきものとする。
　よって、結論のとおり審決する。